(57)【要約】【課題】  本発明が解決しようとする課題は、病院等に入院し、脚力が衰退して自力歩行が困難となった人が、自力歩行ができるように衰退した脚力を容易に回復させるための歩行練習機を提供することである。【解決手段】  自在に移動するための複数の回動体と前記回動体を設ける該主体と、該主体に足にかかる体重と緩和する手段からなることである。【選択図】図１
2010227522.tif 000002
【特許請求の範囲】
【請求項１】
複数の該主体によって形成するフレームに、使用者が前記フレームと共に自在に移動するための複数の回動体を設け、前記使用者が前記フレームと共に前記自在に移動する場合、前記使用者の足にかかる体重を緩和する手段を備えたことを特徴とする歩行練習器。
【発明の詳細な説明】
【技術分野】
【０００１】  本発明は、老人等が病気又は怪我等で入院等した場合、ベット等で長期間横たわることによって、脚力が低下し歩行不能に陥る、この場合の歩行練習機に係るものである。
【背景技術】
【０００２】  従来、老人等が病気又は怪我等によって入院した場合、入院期間が長期化する事は避けられず、その間ベットに横たわり、移動する場合と言えども車椅子等を用いるため、足の筋肉は急速に衰え、入院前は自力で歩行できた者も、退院時は車椅子の生活を余儀なくされている場合が極めて多い。【０００３】  此れに対して、お年寄りだから仕方がないと言う理由により、生涯車椅子に頼り、介護を必要とする等、家族も当事者も不便な生活を余儀なくさせられている。
【発明の概要】
【発明が解決しようとする課題】
【０００４】  上記の如く、老人等が入院の場合、病院内の移動は車椅子に乗せられて移動し、元気で単独移動ができない場合やむなくベットに横たわる等、身体を動かす機会が抑制されるため、脚力が日増しに衰退し、自力歩行ができなくなってしまう。  このため、車椅子の生活を強いられる結果、完全に自力歩行が不可能となり、介護や医療費の増大に繋がっている。  従って、本発明が解決しようとする課題は、病院等に入院し、脚力が衰退して自力歩行が困難となった人が、自力歩行ができるように衰退した脚力を容易に回復させるための歩行練習機を提供することである。
【課題を解決するための手段】
【０００５】本発明によれば、自在に移動するための複数の回動体と、前記回動体を設けるフレームを、複数の該主体によって形成し、前記自在に移動する場合、足にかかる体重と緩和する手段を備えたことである。【０００６】  前記自在に移動する場合、足にかかる体重と緩和する手段を備えたとは、腰をある程度の角度に曲げ、この曲げた部分に於いて、体重を支持することにより、足にかかる体重を緩和することである。  これは、人体の重量の分布は、上半身あが重く下半身が軽い事から、上半身の体重を簡単に、且つ、確実に支持することで、直立時に比べ、足にかかる体重を著しく軽減させることが可能で、人間が高所から落下する祭、必ず頭から落下するに見ても人体上部の重量が重いことは明らかである。
【発明の効果】
【０００７】  支持部３の位置（高さ）を使用者の略腰の位置であるたま、支持部３に下腹部を乗せるような体勢で腰部Ｍを折り曲げ手Ｈでハンドル４を握り、脚部Ｆ、Ｆを歩行する場合と同様に動かすことで、回動体１、１、１、１が回動し、使用者の意の方向に移動できる。【０００８】  この時、使用者の体重は、支示部３を重心として、上半身側に作用することにより、脚部Ｆ、Ｆに懸かる重力は極めて小さくなり、病気治療や体力の消耗又は怪我の治療のため、長期間横たわることによって生じた脚部Ｆ、Ｆの筋肉の衰えによる歩行困難者であっても軽々と容易に歩行ができ、此れを繰り返すことにより短期間で歩行する力を容易に回復させることができる。【０００９】  何故なら、人体は上半身に臓器や頭等重要な器官が集中して居るため、上半身が重く、それに引き換え下半身は足のみであるから、体重全体から見ると下半身は上半身よりはるかに軽いため、足にかかる体重を大幅に緩和することができ、又、腰を折り曲げるだけで乗り降りができる等、使用方法も極めて容易であり、従って、足の筋肉が衰えていても容易、且つ、意の向くままに練習歩行が可能となるからである。【００１０】  又、筋肉の発達、又は、強化のメカニズムは、筋肉に懸かるストレスによって発達強化されるもので、ただ単に腕や膝、腰等を曲直させる場合、筋肉の移動に伴う筋肉のずれによって、筋肉内側又は筋肉外側に圧力が生じ、この圧力によって、等張性ストレス、又は等縮性ストレスと呼ばれるストレスが発生し、このストレスによって筋肉は発達強化されることは知られている。【００１１】  従って、筋肉が衰え歩行が困難な状態の身体でも、体重のほとんどを歩行器に委ね、軽い力で歩行を繰り返すうちに、筋肉が強化され短期間で通常の歩行が可能となり、寝たきり老人や車椅子の生活も不要となる。【００１２】  以上の如く、病院等に入院し、脚力が衰退して自力歩行が困難となった人が、自力歩行ができるように衰退した脚力を容易に回復させるための歩行練習機を提供することができ、更に、老人の介護費用や医療費を大幅な軽減が可能である等、社会的に貢献する効果も有る。
【発明を実施するための形態】
【００１３】  以下、本発明を実施するための形態を図１、図２に基づいて説明すると、図１は本実施の形態を示す斜視図、図２は本実施の形態の使用状態を示す側面で、（図１）複数の主体６によって本発明の歩行器の枠状のフレームＢを形成し、このフレームＢの端部に当たる主体６の端部に本発明の歩行器を使用者が自在に移動させるための複数の回動体１、１、１、１を軸着等の手段によって回動自在に設ける。  この時、複数の回動体１、１、１、１は一般的な車輪でも良く、又、キャスターと呼ばれる回動体であってもよく、できる限り軽い力で回動するものが望ましい。  更に、使用者の上半身の体重と下半身の体重を分離して支えるための支持部３を設けるにあたり、支持体２、２をフレームＢに設けるが、その位置は、使用者が腰を曲げた状態に於いて、安定的に体重を支持するに充分な距離Ｓ（図２）を回動体１と支持部３、３の端部との間に設けることが望ましい。
【００１４】  従って、この支持体２、２の上端には支持部３を設けてあるが、この支持部３の位置は、使用者が腰を曲げた状態（図２）に於いて、上半身の体重を支え、且つ、脚部Ｆ、Ｆで歩行が可能な高さが望ましい。
【００１５】  更に、本発明の歩行器を使用するに当たって、使用者の上半身の体重を支持部３に載せた場合、重心のバランスをとりやすくし、且つ、進行方向を選択し移動をするためのハンドルの作用をフレームＢの一部に設け、ハンドル４とても良く、又、使用者の身長や腕Ｔ、Ｔの長さによっては、ハンドル４の端部から支持体２、２に達する補助竿５、５を設け、この補助竿５、５をハンドルとして使用することも可能である。
【００１６】  従って、本発明の歩行器を使用するには、支持部３の位置（高さ）を使用者は支持部３に下腹部を乗せるような体勢で腰部Ｍを折り曲げ手Ｈでハンドル４を握り、脚部Ｆ、Ｆを歩行する場合と同様に動かすことで、回動体１、１、１、１が回動し、使用者の意の方向に移動する。  このため、使用者が車椅子に越し腰掛ける場合のような介助の必要が軽減される他、使用に当たって、体の動きが少なくて済む等の効果も有る。
【００１７】  またこの時、使用者の体重は、腕Ｔ、Ｔと下腹部を載せた支持部３に依って支えられ、脚部Ｆ、Ｆに懸かる重力は極めて小さくなる。  このため、病気治療や体力の消耗又は怪我の治療のため長く横たわることによって生じた脚部Ｆ、Ｆの筋肉の衰えによる歩行困難者であっても軽々と容易に歩行ができ、且つ、自由に目的の行動が可能となることにより、歩行練習などのリハビリ意欲が旺盛となり、積極的なリハビリの継続が可能となる。
【００１８】  また、人体は上半身に臓器や頭等重要な器官が集中して居るため、上半身が重く、それに引き換え下半身は足のみであるから、体重全体から見ると下半身は上半身よりはるかに軽いため、容易に歩行が可能となるものである。
【００１９】  又、筋肉の発達又は強化のメカニズムは、筋肉に懸かるストレスによって発達強化されるもので、ただ単に腕や膝、腰等を曲直させ場合、筋肉内側と筋肉外側に移動に伴うずれが生じ、このずれによって、筋肉に等張性ストレス、又は等縮性ストレスが発生し、このストレスによって筋肉は発達強化される。
【００２０】  従って、筋肉の衰えによる歩行が困難な状態にあっても、体重のほとんどを歩行器に委ね、軽い力で歩行を繰り返すうちに、筋肉が強化され歩行器を用いなくとも、通常の歩行が可能となるから、老人の介護費用や医療費を軽減することができる。
【００２１】  又、使用者は自分自身の意のままに行動できることによって、喜びが生まれ、好奇心が沸く等の行動に対する意欲が創出されることにより、自発的に歩行し、又、継続も楽しみながらできる結果、脚の筋肉のトレーニングは円滑となり、早期に通常歩行が可能となる。
【００２２】  更に、行動に対する意欲と共に、心臓と脳の位置的関係に於いて、高さの差が小さくなるため軽い運動でも脳への送血が円滑となり、好奇心や行動意欲の増大とあいまって痴呆症等の症状も改善される可能性が生ずる。
【実施例】
【００２３】  以下、本発明の実施例を図３に基づいて説明すると、複数の主体６、６、６によって略三角状のフレームＢを形成し、主体６の下端にはそれぞれ回動体１、１、１、１を回動自在に軸着し、フレームＢ上端に支持体２を形成し、又は設け、支持体２、２の上端部に支持部３を設けると良く、これは本実施例のほんの一例であるが、この場合、支持体２、２の適宜位置にハンドル４を設けると良く、主体６によって形成されるフレームの一方に開放部７を形成することも可能で、この場合、支持部３に腰部Ｍを支持した祭、脚部Ｆ、Ｆの移動が滑らかに行える利点が有る。【００２４】  又、複数の主体６に設ける支持体２、２は、支持体２、２を予め、略Ｙ字状に形成して用いることも可能であることは言うまでもない。  更に、支持体２、２を伸縮させることも可能である（図示しない）ことは言うまでもない。  又、フレームＢの後部方向に開放部７を形成することで、支持部３直下から回動体１、１までの距離が生じるため、使用者が歩行しやすくなり、且つ、謝って尻餅をつくことが無いのは、発明の実施の形態に記載した発明と同様である。【００２５】  従って、この実施例に於いては、発明を実施するための形態に記載した発明と同様の作用及び効果を得ることができる。
【図面の簡単な説明】
【００２６】
【図１】本発明の実施の形態を示す斜視図
【図２】本発明の実施の形態の使用状態を示す側面図
【図３】本発明の実施例を示す斜視図
【符号の説明】
【００２７】１  回動体２  支持体３  支持部３Ａ  Ｒ状４  ハンドル５  補助竿６  主体７  開放部Ｋ  上半身Ｆ  脚部Ａ  頭部Ｂ  フレームＭ  腰部Ｔ  腕Ｈ  手Ｓ  距離
【図１】
2010227522.tif 000003
【図２】
2010227522.tif 000004
【図３】
2010227522.tif 000005